(57)【要約】【課題】ブリスターケースの商品等を収容する収容凹所内に簡単に、例えば、宣伝広告用として目立つ突出部をワンタッチで形成できる包装容器用の台紙ならびにこれを用いた、例えば宣伝広告用に優れた包装容器に関する。【解決手段】この発明において、突出部形成部３４を切込み３２に沿ってスライドさせれば、突出部形成部３４の中央部分が盛り上り、この盛り上がり部分が商品宣伝用の突出部２２として機能することになる。つまり、突出部形成部３４を切込み３２に沿ってスライドさせるだけで立体的な視覚効果の得られる商品宣伝広告用の突出部２２を収容凹所（商品収容凹所１８或いは突出部収容凹所１９）内に簡単に形成することができる。【選択図】図２
2008184185.tif 000002
【特許請求の範囲】
【請求項１】
商品収容用の商品収容凹所を有するブリスターケースの裏面に取り付けられるシート状の台紙であって、
前記台紙には、その一方端部端縁から他端側へ延びる少なくとも２本の切込みが前記収容凹所と対応する位置に設けられており、
前記切込みによって前記台紙が前記切込みに挟まれた部分である突出部形成部と、それ以外の部分である台紙部とに区画されており、
前記突出部形成部の一方端部側を他端側へ向けて移動させることにより前記突出部形成部の一部が前記商品収容凹所側に膨出して前記商品収容凹所内に突出する突出部を形成するものであることを特徴とする台紙。
【請求項２】
商品収容用の商品収容凹所と、商品宣伝広告が記載された突出部の収容用の突出部収容凹所とを有するブリスターケースの裏面に取り付けられるシート状の台紙であって、
前記台紙には、その一方端部端縁から他端側へ延びる少なくとも２本の切込みが前記突出部収容凹所と対応する位置に設けられており、
前記切込みによって前記台紙が前記切込みに挟まれた部分である突出部形成部と、それ以外の部分である台紙部とに区画されており、
前記突出部形成部の一方端部側を他端側へ向けて移動させることにより前記突出部形成部の一部が前記突出部収容凹所側に膨出して前記突出部収容凹所内に突出する突出部を形成するものであることを特徴とする台紙。
【請求項３】
前記突出部形成部の一方端部が、前記台紙部の一方端部よりも外方に突出していることを特徴とする請求項１または２に記載の台紙。
【請求項４】
商品収容用の商品収容凹所を有するブリスターケースの裏面に取り付けられるシート状の台紙であって、
前記台紙には、その一方端部側から他端側へ延びる少なくとも２本の切込みが前記商品収容凹所と対応する位置に設けられ、且つ、前記切込み同士を接続する接続用切込みが設けられており、
前記切込みおよび前記接続用切込みによって前記台紙が前記切込みおよび前記接続用切込みに囲まれた部分である突出部形成部と、それ以外の部分である台紙部とに区画されており、
前記突出部形成部の一方端部側を他端側へ向けて移動させることにより前記突出部形成部の一部が前記商品収容凹所側に膨出して前記商品収容凹所内に突出する突出部を形成するものであることを特徴とする台紙。
【請求項５】
商品収容用の商品収容凹所と、商品宣伝広告が記載された突出部の収容用の突出部収容凹所とを有するブリスターケースの裏面に取り付けられるシート状の台紙であって、
前記台紙には、その一方端部側から他端側へ延びる少なくとも２本の切込みが前記突出部収容凹所と対応する位置に設けられ、且つ、前記切込み同士を接続する接続用切込みが設けられており、
前記切込みおよび前記接続用切込みによって前記台紙が前記切込みおよび前記接続用切込みに囲まれた部分である突出部形成部と、それ以外の部分である台紙部とに区画されており、
前記突出部形成部の一方端部側を他端側へ向けて移動させることにより前記突出部形成部の一部が前記突出部収容凹所側に膨出して前記突出部収容凹所内に突出する突出部を形成するものであることを特徴とする台紙。
【請求項６】
前記突出部形成部の幅方向端縁とそれに対向する前記台紙部の対向縁には、前記突出部形成部を移動させて前記突出部を形成したときに互いに嵌合可能な凸部と凹部とが設けられていることを特徴とする請求項１から５の何れかに記載の台紙。
【請求項７】
前記凹部は複数設けられており、前記凸部が前記複数の凹部に対して選択的に嵌合されることを特徴とする請求項６に記載の台紙。
【請求項８】
商品収容用の商品収容凹所を有し、その両側端にガイド溝が形成されているブリスターケース、または商品収容用の商品収容凹所と商品宣伝広告用突出部収容用の突出部収容凹所とを有し、その両側端にガイド溝が形成されているブリスターケースと、前記商品収容凹所の裏面に取り付けられるシート状の台紙とを有する包装容器であって、
前記台紙が請求項１から７の何れかに記載の台紙であることを特徴とする包装容器。
【発明の詳細な説明】
【技術分野】
【０００１】
本発明は、ブリスターケースの商品等を収容する収容凹所内に簡単に、例えば、宣伝広告用として目立つ突出部をワンタッチで形成できる包装容器用の台紙ならびにこれを用いた、例えば宣伝広告用に優れた包装容器に関する。
【背景技術】
【０００２】
商品を収容して陳列する包装容器の一例が特開平９−２４０７２８号公報（特許文献１）に開示されている。この従来の包装容器は、商品収容用の商品収容凹所を有するブリスターケースと、ブリスターケースの裏面に取り付けられて商品収容凹所の開口部を閉塞するシート状の台紙とで大略構成されている。
【０００３】
ブリスターケースは、透明材料（透明な樹脂等）によって形成されており、商品収容凹所に収容した内容物をブリスターケースを通して視認できる。また、台紙の表面には、通常、商品宣伝用の広告が印刷されている。
【０００４】
そして、従来では、立体的な視覚効果により消費者への商品アピール度を高めることを目的として、商品収容凹所内に商品宣伝広告用の突出部を形成することが広く行なわれていた。なお、このような商品宣伝広告用の突出部を形成する手法としては、商品収容凹所内に折り曲げた中ラベルを設けたり、台紙の表面に予め宣伝広告用の文字や図柄を印刷した突出部を形成しておいたりすることが一般に行なわれている（例えば、特許文献２参照）。
【特許文献１】特開平９−２４０７２８号公報
【特許文献２】特開２００１−３２２６７３号公報
【発明の開示】
【発明が解決しようとする課題】
【０００５】
立体的な視覚効果を得ることを目的として中ラベルを用いる手法を採用する場合には、中ラベルを別途準備する必要があることから、その分コスト高になるという問題があった。
【０００６】
一方、台紙の表面に予め突出部を形成しておくという手法を採用する場合には、スライドタイプの包装容器（ブリスターケースの幅方向両端部にガイド溝が形成されており、このガイド溝に台紙を挿入することによってブリスターケースの裏面に台紙を取り付けるようにした包装容器のことをいう。）に適用できないという問題があった。すなわち、スライドタイプの包装容器では、台紙の表面に予め突出部が形成されていると、台紙をガイド溝へ挿入する際に突出部が邪魔になって台紙の挿入作業ができないからである。
【０００７】
本発明は、上記従来技術の問題点に鑑みてなされたものであり、商品収容用の商品収容凹所内等に商品宣伝広告用の突出部を簡単に形成でき、しかも、スライドタイプの包装容器にも適用可能な包装容器用の台紙ならびにこれを用いた包装容器を提供することにある。
【課題を解決するための手段】
【０００８】
請求項１に記載した発明は、「商品１２収容用の商品収容凹所１８を有するブリスターケース１４の裏面に取り付けられるシート状の台紙１６であって、台紙１６には、その一方端部端縁３６ｂから他端側へ延びる少なくとも２本の切込み３２が商品収容凹所１８と対応する位置に設けられ、切込み３２によって台紙１６が切込み３２に挟まれた部分である突出部形成部３４と、それ以外の部分である台紙部３６とに区画されており、突出部形成部３４の一方端部３４ａ側を他端側へ向けて移動させることにより突出部形成部３４の一部が商品収容凹所１８側に膨出して商品収容凹所１８内に突出する突出部２２を形成するものである」ことを特徴とする台紙１６である。
【０００９】
この発明において、ブリスターケース１４の裏面に取り付けられた台紙１６における２本の切込み３２に挟まれた突出部形成部３４の一方端部３４ａ側を他端側へ向けて移動させれば、突出部形成部３４の一部或いは中央部が商品収容凹所１８側へ盛り上がる。そして、この盛り上がり部分に商品宣伝広告用の印刷を施しておけば、当該盛り上がり部分がフラットな部分に比べて看者の目を惹き商品宣伝広告用の突出部２２として機能することとなる。つまり、２本の切込み３２によって挟まれた突出部形成部３４の一方端部３４ａを他端側へ向けて移動させるという作業だけで、商品宣伝広告用の突出部２２を簡単に形成することができるのである。
【００１０】
この場合、突出部２２がブリスターケース１４の外方から視認できるよう、突出部２２を商品収容凹所１８内に収容されている商品１２の背面側からその隙間を縫って表面側に現れるように形成する（図１１）。この場合、商品１２の内部から表面に宣伝広告用の印刷部分が設けられている突出部２２が現れるので、商品の宣伝広告としてアピール度が高い。また、突出部２２が商品１２を裏側から押圧したり商品１２と接触するようにして商品１２を固定できるような場合には、突出部２２を商品１２の固定手段として機能させることもできる。
【００１１】
なお、宣伝機能を必要としない場合は、ブリスターケース１４の外方から視認できない部分に突出部２２を形成してもよく、この場合は商品収容凹所１８内に収容されている商品１２を簡易に固定することが出来る。そして、突出部形成部３４の表面に折曲線３８を設けておけば、所望形状の突出部２２の形成が容易となる。
【００１２】
台紙１６は、図５〜図６に示すように、突出部形成用台紙２８と化粧用台紙３０とで構成される場合や、突出部形成用台紙２８単独で構成される場合が考えられるが、いずれの場合であっても、突出部形成用台紙２８は必ず使用される（この点は、後述する台紙４６においても同様）。
【００１３】
請求項２に記載の発明は、「商品１２収容用の商品収容凹所１８と、商品宣伝広告が記載された突出部２２の収容用の突出部収容凹所１９とを有するブリスターケース１４の裏面に取り付けられるシート状の台紙１６であって、台紙１６には、その一方端部端縁３６ｂから他端側へ延びる少なくとも２本の切込み３２が突出部収容凹所１９と対応する位置に設けられ、該切込み３２によって台紙１６が切込み３２に挟まれた部分である突出部形成部３４と、それ以外の部分である台紙部３６とに区画されており、突出部形成部３４の一方端部３４ａ側を他端側へ向けて移動させることにより突出部形成部３４の一部が突出部収容凹所１９側に膨出して突出部収容凹所１９内に突出する突出部２２を形成するものである」ことを特徴とする台紙１６である。
【００１４】
この発明は、突出部２２収容用の突出部収容凹所１９を、商品収容凹所１８とは別に設け、この突出部収容凹所１９内に突出部２２を形成するようにした例で、請求項１と同様、２本の切込み３２によって挟まれた突出部形成部３４の一方端部３４ａを他端側へ向けて移動させるという作業だけで、商品宣伝広告用の突出部２２を突出部収容凹所１９内に簡単に形成することができるのである。なお、本発明において、商品収容凹所１８と突出部収容凹所１９とは、連接されていてもよいし（図２参照）、離れた場所に形成されていてもよい（図１０参照）。
【００１５】
この場合も請求項１と同様で、ブリスターケース１４の商品収容凹所１８内に商品１２を収容し、その裏面に台紙１６を取り付け、突出部形成部３４の一方端部３４ａを他端側へ移動させて突出部収容凹所１９内に突出部２２を形成すると、突出部収容凹所１９は商品収容凹所１８と並んで形成されているので、宣伝広告用の突出部２２が商品１２と並んで形成されることになる。したがって、突出部２２の表面に商品宣伝広告用の印刷を施しておくことにより、商品１２と並んで形成されている前記商品宣伝広告用の突出部２２が商品１２の存在と相俟って目立ち、その注目度が向上する。
【００１６】
請求項３に記載した発明は、請求項１または２に記載の台紙１６において、「突出部形成部３４の一方端部３４ａが、台紙部３６の一方端部３６ａよりも外方に突出している」ことを特徴とするものである。
【００１７】
この発明によれば、突出部２２の形成作業（すなわち、突出部形成部３４の一方端部３４ａ側を他端側へ移動させる作業）が、台紙部３６の一方端部３６ａの端部から外方に突出した突出部形成部３４の一方端部３４ａを商品収容凹部１８側へ向けて押すという非常に簡単で分かりやすい動作だけで完了することになる。また、突出部形成部３４の一方端部３４ａ側を他端側へ移動させて突出部２２を形成したときに突出部形成部３４の一方端部３４ａと台紙部３６の一方端部３６ａとを面一に揃えることができ、これにより、見栄えの良い台紙１６を構成できる。
【００１８】
請求項４に記載した発明は、台紙の他の実施例で、「商品１２収容用の商品収容凹所１８を有するブリスターケース１４の裏面に取り付けられるシート状の台紙４６であって、台紙４６には、その一方端部３６ａ側から他端側へ延びる少なくとも２本の切込み４８が商品収容凹所１８と対応する位置に設けられ、且つ、切込み４８同士を接続する接続用切込み５０が設けられており、切込み４８および接続用切込み５０によって台紙４６が切込み４８および接続用切込み５０に囲まれた部分である突出部形成部３４と、それ以外の部分である台紙部３６とに区画されており、突出部形成部３４の一方端部３４ａ側を他端側へ向けて移動させることにより突出部形成部３４が商品収容凹所１８側に膨出して商品収容凹所１８内に突出する突出部２２を形成するものである」ことを特徴とするものである。
【００１９】
この発明は、切込み４８同士が接続用切込み５０によって接続され、台紙４６の一方端部端縁３６ｂに達していない点で請求項１とは異なるが、その主たる作用効果は請求項１と同様である。すなわち、切込み４８および接続用切込み５０によって囲まれた突出部形成部３４の一方端部３４ａ側（接続用切込み５０と接する側）を他端側へ向けて移動させれば、突出部形成部３４の一部或いは中央部が商品収容凹所１８側に盛り上がる。そして、この盛り上がり部分に商品宣伝広告用の印刷を施しておけば、当該盛り上がり部分がフラットな部分に比べて看者の目を惹き商品宣伝広告用の突出部２２として機能することとなる。
【００２０】
請求項５に記載した発明は、請求項４に記載の発明の変形例で、「商品１２収容用の商品収容凹所１８と、商品宣伝広告が記載された突出部２２の収容用の突出部収容凹所１９とを有するブリスターケース１４の裏面に取り付けられるシート状の台紙４６であって、台紙４６には、その一方端部側３６ａから他端側へ延びる少なくとも２本の切込み４８が突出部収容凹所１９と対応する位置に設けられ、且つ、切込み４８同士を接続する接続用切込み５０が設けられており、切込み４８および接続用切込み５０によって台紙４６が切込み４８および接続用切込み５０に囲まれた部分である突出部形成部３４と、それ以外の部分である台紙部３６とに区画されており、突出部形成部３４の一方端部３４ａ側を他端側へ向けて移動させることにより突出部形成部３４が突出部収容凹所１９側に膨出して突出部収容凹所１９内に突出する突出部２２を形成するものである」ことを特徴とするものである。
【００２１】
この発明は、請求項２に記載の発明と同様、突出部２２を収容する突出部収容凹所１９を商品収容凹所１８とは別に設けたブリスターケース１４に適用される台紙４６であり、本願発明においても、突出部形成部３４の一方端部３４ａ側を他端側へ向けて移動させるだけで商品宣伝広告用の突出部２２を簡単に形成することができる。
【００２２】
請求項６に記載した発明は、請求項１〜５の何れかに記載の台紙１６，４６をさらに限定したものであり、「突出部形成部３４の幅方向端縁３４ｃと、それに対向する台紙部３６の対向縁３６ｃには、突出部形成部３４を移動させて突出部２２を形成したときに互いに嵌合可能な凸部４２と凹部４４とが設けられている」ことを特徴とする。
【００２３】
この発明によれば、突出部形成部３４を移動させて突出部２２を形成した後、凸部４２と凹部４４とを嵌合させれば、突出部形成部３４をその位置にて固定でき、その取扱性が向上する。
【００２４】
なお、凸部４２と凹部４４との嵌合状態を強固にするためには、凸部４２と凹部４４との幅（嵌合深さ）を広くしておく方が良いが、ブリスターケース１４の裏面に台紙１６，４６を取り付けた後、突出部形成部３４の一方端部３４ａを他端側へ向けてスライドさせるという観点から考えれば、スライド可能であるが係合も可能な範囲で凸部４２と凹部４４の幅は出来る限り狭くしておくのが望ましい（この意味で、図１２は若干誇張されている）。
【００２５】
請求項７に記載した発明は、請求項６に記載の台紙１６，４６において「凹部４４は複数設けられており、凸部４２が複数の凹部４４に対して選択的に嵌合される」ことを特徴とするものである。
【００２６】
この発明によれば、凹部４４に対する凸部４２の嵌合位置を適宜変更することによって突出部２２の突出度合いを適宜調整できる。
【００２７】
請求項８に記載した発明は、「商品１２収容用の商品収容凹所１８を有し、その両側端にガイド溝２４を有するブリスターケース１４または、商品１２収容用の商品収容凹所１８と突出部２２収容用の突出部収容凹所１９とを有するブリスターケース１４と、商品収容凹所１８の裏面に取り付けられるシート状の台紙とを有する包装容器１０であって、台紙が請求項１から７の何れかに記載の台紙１６，４６である」ことを特徴とする包装容器１０である。
【００２８】
この発明では、台紙１６，４６をブリスターケース１４の裏面にガイド溝２４に沿わせて取り付けた後に突出部形成部３４の一方端部３４ａ側を他端側へ向けて移動させるという非常に簡単な操作だけで、突出部形成部３４が商品収容凹所１８側あるいは突出部収容凹所１９側に盛上り、商品収容凹所１８あるいは突出部収容凹所１９側内に突出部２２を簡単に形成できる。
【発明の効果】
【００２９】
この発明によれば、スライドタイプの包装容器において商品収容用凹所内あるいは突出部収容凹所内に商品宣伝広告用の突出部を簡単に形成でき、立体的な視覚的宣伝効果の高い包装容器を簡単に得ることができる。
【発明を実施するための最良の形態】
【００３０】
以下、本発明を図面に従って説明する。図１は本発明にかかる包装容器１０の一例を示す正面図であり、図２は包装容器１０の側面図であり、図３は包装容器１０の背面図である。
【００３１】
本発明が適用された包装容器１０は、例えば、ドリンクホルダーといった商品１２を収容して陳列するためのものであり、図１〜図３からも分かるように、ブリスターケース１４と台紙１６とで大略構成されている。なお、本実施例の包装容器１０は、台紙１６をブリスターケース１４の両側端に設けられるガイド溝２４内にスライドさせてブリスターケース１４の裏面に取り付けるスライドタイプのものであり、図１〜図３における上下方向が台紙１６のスライド方向と一致する（勿論、ガイド溝２４が無いタイプのブリスターケースに適用することも可能である）。
【００３２】
ブリスターケース１４は、図４に示すように、商品１２収容用の商品収容凹所１８と、後述する商品宣伝広告用の突出部２２収容用の突出部収容凹所１９と、商品収容凹所１８ならびに突出部収容凹所１９の開口端部外周に形成された台紙受部２０とを有し、これらが透明材料（例えば、透明な樹脂）により一体的に形成されている。
【００３３】
商品収容凹所１８は、商品１２を収容するための凹所であり、その内面形状は、商品１２の外形に合わせて適宜設定されている。
【００３４】
突出部収容凹所１９は、後述する商品宣伝広告用の突出部２２を収容するための凹所であり、その内面形状は、後述する突出部２２の外形に合わせて適宜設定されている。
【００３５】
なお、本実施例では、商品収容凹所１８と、突出部収容凹所１９とが互いに連接して形成されている。勿論、商品収容凹所１８と突出部収容凹所１９との位置関係については、本実施例に限定されるものではなく、例えば、商品収容凹所１８と突出部収容凹所１９とを互いに離れた場所に形成してもよいし（図１０参照）、突出部収容凹所１９を特に形成せず商品収容凹所１８内に突出部収容凹所１９を包含するようにしてもよい（図１１参照）。この点については後述する。
【００３６】
台紙受部２０は、商品収容凹所１８および突出部収容凹所１９の開口部を補強するとともに、台紙１６が取り付けられる取付面を構成するものであり、その左右両側端にはガイド溝２４が形成されている。ガイド溝２４は、台紙１６をブリスターケース１４に取り付ける際のガイドとして機能するものであり、台紙受部２０の左右両端部端縁に延設された鍔２４ａ（図４参照）をブリスターケース１４の裏面側へ折り返すことにより形成される。なお、本実施例において互いに対向する２つのガイド溝２４は、通常互いに平行となるように形成されている。勿論、ガイド溝２４を設ける方向は、ブリスターケース１４の裏面にその一方端部側から台紙１６をスライドして取り付けることができれば、対向する２つのガイド溝２４同士が互いに平行である必要はなく、例えば、ブリスターケース１４の一方端部側から他方端部側に向かうにしたがってその間隔が狭くなるような略ハ字状にガイド溝２４を設けてもよい（勿論、その場合は、台紙１６の外形もガイド溝２４の幅に合わせてその一方端部側から他方端部側に向かうにしたがってその幅が狭くなるような略ハ字状に形成する必要がある）。
【００３７】
台紙受部２０の上端部には、ストッパ２６が形成されている。ストッパ２６は、ガイド溝２４に挿入された台紙１６の挿入終了箇所を規定するためのものであり、台紙受部２０の上端部端縁に延設された鍔２６ａ（図４参照）をブリスターケース１４の裏面側へ折り返すことにより形成される。
【００３８】
台紙１６は、ブリスターケース１４の裏面側に取り付けられ、商品収容凹所１８内に収容した商品１２が商品収容凹所１８内から脱落するのを防止するためのシート状部材であり、図５に示す本実施例では、突出部形成用台紙２８と化粧用台紙３０とで大略構成されている。なお、本実施例では、突出部形成用台紙２８と化粧用台紙３０とが１枚の厚紙により一体的に形成されている（勿論、突出部形成用台紙２８と化粧用台紙３０とをそれぞれ別体にて構成してもよいし、また、突出部形成用台紙２８単独で台紙１６を構成してもよい）。
【００３９】
突出部形成用台紙２８は、台紙１６をブリスターケース１４の裏面側に取り付けたときに突出部収容凹所１９内に収容される商品広告用の突出部２２を形成するためのシート状部材であり、その一方端部（図５における突出部形成用台紙２８の下端部）には、その端部端縁から他端側（図５における上方）へ延びる２本の切込み３２が突出部収容凹所１９と対応する位置にて所定間隔を隔てて形成されている。
【００４０】
切込み３２を設ける本数は、少なくとも２本以上であればよく、例えば図１４に示すように３本設けるようにしてもよい（この点については後述する）。
【００４１】
各切込み３２が延びる方向は、本実施例では、ガイド溝２４が延びる方向に対して通常は平行となっており、その終端は突出部２２を形成する位置（すなわち、突出部収容凹所１９が形成されている位置）に合わせて設定されている。なお、切込み３２が延びる方向は、前述のように必ずしもガイド溝２４に対して平行である必要はなく、例えば、図示しないが、２本の切込み３２間の間隔が台紙１６の一方端部側から他端側に向かうにつれて広くなるような逆ハ字状となるように切込み３２を形成してもよい。つまり、後述するように、切込み３２で挟まれた部分である突出部形成部３４の一端を他端側へ向けて移動させることにより突出部形成部３４が突出部収容凹所１９側に膨出して突出部収容凹所１９内に突出する突出部２２が形成可能であればよい。
【００４２】
ここで、突出部形成用台紙２８のうち、２本の切込み３２で挟まれた部分が突出部２２を形成するための突出部形成部３４であり、それ以外の部分が台紙部３６である。前述のように、台紙１６を構成している突出部形成用台紙２８は、２本の切込み３２によって、２本の切込み３２に挟まれた部分である突出部形成部３４と、それ以外の部分である台紙部３６とに区画されていることになる。
【００４３】
突出部形成部３４の一方端部３４ａは、台紙部３６の一方端部３６ａよりも外方（図５における下方）に突出している（勿論、突出部形成部３４の一方端部３４ａ端縁と台紙部３６の一方端部３６ａ端縁とが面一となっていてもよいし、突出部形成部３４の一方端部３４ａ端縁が台紙部３６の一方端部３６ａ端縁よりも内方に位置してもよい）。
【００４４】
突出部形成部３４の幅（２本の切込み３２間の幅）は、後述する突出部２２が突出部収容凹所１９内に収容される必要があることから、突出部収容凹所１９の幅よりも小さく設定されている。
【００４５】
突出部形成部３４には、突出部２２の形成を容易にすることを目的として少なくとも２本（本実施例では３本）の折曲線３８が互いに通常は平行に所定間隔を隔てて形成されている。各折曲線３８は、通常切込み３２と直交する方向に延びており、その形成位置ならびに各折曲線３８間の間隔は、突出部２２を形成したときに、突出部２２が突出部収容凹所１９内に収容されるよう適宜設定される。なお、本実施例では、突出部２２の断面形状が略三角形状となるよう折曲線３８を３本形成したが、その本数は３本に限定されるものではなく、目的とする突出部２２の断面形状に応じて適宜設定可能である。したがって、例えば、図９（Ａ）に示すように突出部２２の断面形状を逆Ｕ字状とする場合には、折曲線３８を２本形成すればよいし、図９（Ｂ）に示すように突出部２２の断面形状を略四角形状とする場合には、折曲線３８を４本形成すればよい。また、図９（Ｃ）に示すように断面略三角形状の突出部２２を２つ所定間隔を隔てて設ける場合には、折曲線３８を６本形成すればよいし、図９（Ｄ）に示すように断面三角形状の突出部２２を複数連続してジグザグ状に形状する場合には、これに応じた数（この場合は４つの突出部２２を連続して形成するため９本）形成すればよい。
【００４６】
化粧用台紙３０は、台紙１６をブリスターケース１４の裏面に取り付けたときの見栄えを良くすることを目的として突出部形成用台紙２８の裏面側に必要に応じて設けられるシート状の化粧部材であり、その外形は、突出部形成部３４の一方端部３４ａ端縁と台紙部３６の一方端部３６ａ端縁とを面一状態としたときにおける突出部形成用台紙２８の外形と大略同じとなるように設定されている。
【００４７】
突出部形成用台紙２８の裏面側に化粧用台紙３０を設けた台紙１６を形成する際には、突出部形成用台紙２８と化粧用台紙３０との一体物を、そのつなぎ目部分４０にて折り曲げるだけでよく、これにより、図６に示すような突出部形成用台紙２８の裏面側に化粧用台紙３０が積層された目的とする台紙１６が完成する（突出部形成用台紙２８と化粧用台紙３０とが別体の場合には、突出部形成用台紙２８の裏面側に化粧用台紙３０を配置するだけでよい）。このとき、突出部形成部３４の一方端部３４ａは、台紙部３６の一方端部３６ａよりも外方に突出した状態となっている。そして、後述するように、この突出部形成部３４の突出部分である一方端部３４ａを突出部形成用台紙２８の他端側（図６における上方）へ向けて移動させると、突出部形成部３４が折曲線３８部分で折り曲げられて突出部収容凹所１９側へ膨出し、これにより突出部２２が形成される（図７参照）。
【００４８】
本発明にかかる包装容器１０を用いて商品１２を包装する際には、まず、ブリスターケース１４の商品収容凹所１８に商品１２を収容し、然る後、台紙１６の端縁をガイド溝２４に挿入する。このとき、台紙１６は、突出部形成用台紙２８と化粧用台紙３０とのつなぎ目部分４０を先頭にしてガイド溝２４内に挿入される（つまり、突出部形成部３４の一方端部３４ａ側が後側となるように台紙１６が挿入される）。
【００４９】
そして、台紙１６のつなぎ目部分４０がストッパ２６と当接するところまで台紙１６をスライドさせれば、台紙１６のスライド作業が完了し、商品収容凹所１８の開口部が台紙１６によって閉塞される。
【００５０】
なお、台紙１６のスライド作業が完了した状態では、図８に示すように、突出部形成部３４の一方端部３４ａがブリスターケース１４から外方にはみ出した状態となっている。
【００５１】
次に、ブリスターケース１４から外方にはみ出た突出部分である突出部形成部３４の一方端部３４ａを他端側へ向けて移動させると（ここではスライドさせると）、突出部形成部３４が折曲線３８部分で折り曲げられて突出部収容凹所１９側へ膨出し、突出部収容凹所１９内にて突出部２２が形成される。なお、突出部形成部３４を予め折曲線３８にて折り曲げておけば、この突出部２２の形成作業を円滑に行なうことができる。
【００５２】
そして、最後に、台紙１６とブリスターケース１４とをホッチキス止めすれば（ホッチキスＸを止める箇所は、図１における包装容器１０の下端部である）、包装容器１０を用いた商品１２の包装が完了する（図１〜２参照）。
【００５３】
本実施例によれば、ブリスターケース１４のガイド溝２４に台紙１６を挿入し、然る後、ブリスターケース１４の端部から外方にはみ出した突出部形成部３４の一方端部３４ａを台紙１６の挿入方向に移動させるだけで、立体的な視覚効果の得られる商品宣伝広告用の突出部２２を突出部収容凹所１９内に簡単に形成することができる。したがって、商品アピール力に優れた包装容器１０を安価かつ簡単に提供することができる。
【００５４】
しかも、突出部収容凹所１９は商品収容凹所１８と連接して形成されているので、突出部収容凹所１９内に形成された宣伝広告用の突出部２２は、商品１２と並んで位置することになる。したがって、突出部２２の表面に商品宣伝広告用の印刷を施しておけば、商品１２と並んで形成されている商品宣伝広告用の突出部２２が商品１２の存在と相俟って目立ち、その注目度が向上する。
【００５５】
なお、商品収容凹所１８と突出部収容凹所１９との位置関係については、上述実施例に限定されるものではなく、例えば、商品収容凹所１８と突出部収容凹所１９とを互いに離れた場所に形成してもよいし（図１０参照）、商品収容凹所１８内に突出部収容凹所１９を包含するようにしてもよい（図１１参照）。
【００５６】
後者の場合は、たとえば図１１に示すように商品収容凹所１８が突出部収容凹所１９としても機能する場合で、この場合は、突出部２２が商品１２の裏面側から商品１２の中を通り、商品１２の空間部から顔を出すように形成される。なお、突出部２２が宣伝広告用として使用しない場合には、ブリスターケース１４の外方から視認できないよう、突出部２２を商品収容凹所１８内に収容されている商品１２の裏側に隠れるように形成してもよい。前者の場合、突出部２２の表面に宣伝広告用の印刷を施しておけば、当該突出部２２が商品宣伝広告として機能する。また、突出部２２が商品１２を裏側から押圧したり商品１２と接触する等して商品１２を固定できるような場合には、突出部２２を商品１２の固定手段として機能させることもできる。一方、後者の場合は、突出部２２が商品１２に隠れることから商品宣伝広告用としての機能は有さないが、商品１２を裏側から押圧して固定手段として機能させることが可能となる。
【００５７】
勿論、図１１実施例の場合は、上述したように、商品収容凹所１８が突出部収容凹所１９として機能するので、台紙１６の突出部形成用台紙２８に設けられる２本の切込み３２は、商品収容凹所１８と対応する位置に形成されることになる。
【００５８】
図１２は、台紙１６の変形例で、突出部形成部３４の幅方向端縁３４ｃとそれに対向する台紙部３６の対向縁３６ｃに、突出部形成部３４の一方端部３４ａを他端側に移動させて突出部２２を形成したときに互いに嵌合可能な凸部４２と凹部４４とを設けた例である。なお、本実施例では、突出部形成部３４の幅方向端縁３４ｂに凸部４２が１つ形成されており、台紙部３６の対向縁３６ｂに複数（ここでは３つ）の凹部４４が形成されている。
【００５９】
各凸部４２および凹部４４は、その幅が台紙１６の一端側から他端側に向かうにつれて幅狭となるような楔形となっている（勿論、楔形に限られず、たとえば半円形状や矩形状であってもよい）。
【００６０】
凸部４２と凹部４４とを形成する位置としては、図１２に示すように突出部形成部３４を完全に伸長させた状態（すなわち、突出部２２が未だ形成されていない状態。図１２の二点鎖線を参照。）において凸部４２と凹部４４とが嵌合状態となるように設定してもよいし、図１３に示すように、突出部形成部３４を完全に伸長させた状態において凸部４２と凹部４４とが嵌合しないよう設定してもよい（図１３の二点鎖線を参照）。何れにしても、突出部形成部３４の一方端部３４ａを他端側へ向けて移動させて突出部２２を形成したときに凸部４２と凹部４４とが嵌合状態となればよい。
【００６１】
本実施例によれば、突出部形成部３４の幅方向端縁３４ｃと台紙部３６の対向縁３６ｃとに、突出部形成部３４の一方端部３４ａを他端側へ向けて移動させて突出部２２を形成したとき互いに嵌合可能な凸部４２と凹部４４とが設けられているので、凸部４２と凹部４４とを嵌合することにより、形成した突出部２２をその状態にて維持できる。
【００６２】
また、凹部４４が複数形成されている場合には、凸部４２を複数の凹部４４に対して選択的に嵌合することができる。このように凸部４２の嵌合位置を適宜変更することによって突出部２２の突出量を調整できる。
【００６３】
さらに、各凸部４２および凹部４４は、その幅が台紙１６の一端側から他端側に向かうにつれて幅狭となるような楔形となっているので、突出部形成部３４の一方端部３４ａを他端側へ向けて移動させる作業、すなわち、突出部２２の形成作業を容易に行なうことができる。
【００６４】
なお、凸部４２と凹部４４との嵌合状態を強固にするためには、凸部４２と凹部４４の幅（嵌合深さ）を広くしておく方が良いが、ブリスターケース１４の裏面に台紙１６を取り付けた後、突出部形成部３４の一方端部３４ａを他端側へ向けて円滑にスライドさせるという観点から考えれば、スライド可能であるが係合も可能な範囲で凸部４２と凹部４４の幅は出来る限り狭くしておくのが望ましい（この意味で、図１２は若干誇張されている）。
【００６５】
図１４は、切込み３２を３本形成することによって突出部形成部３４を２つ形成した例である。この実施例によれば、２つの突出部２２をそれぞれ異なる位置に形成することが可能となる。勿論、切込み３２の数は４本以上であってもよく、切込み３２を設けた数に応じて突出部２２が形成されることになる。
【００６６】
図１５〜１６は、台紙４６に設けた少なくとも２本の切込み４８同士を接続用切込み５０により接続した例である（ここでは、台紙４６を図１〜２に示したような商品収容凹所１８と突出部収容凹所１９とが連接しているブリスターケース１４に適用する場合について説明する）。
【００６７】
すなわち、台紙４６には、その一方端部側から他端側へ延びる２本の切込み４８が突出部収容凹所１９と対応する位置に設けられており、この切込み４８同士が接続用切込み５０によって接続されている（本実施例では、切込み４８の一方端部同士が接続用切込み５０によって接続されている）。なお、この場合、切込み４８に囲まれた部分が突出部形成部３４であり、それ以外の部分が台紙部３６である。
【００６８】
切込み４８を設ける数は、少なくとも２本以上であればよく、３本以上設けるようにしてもよい（３本以上設けた場合には、図１４実施例と同様、切込み４８を設けた数に応じて突出部形成部３４が形成されることになる）。
【００６９】
接続用切込み５０は、突出部収容凹所１９と対応する位置に設けても良いし、突出部収容凹所１９と対応する位置から外れた場所に設けてもよい。いずれにせよ、切込み４８の一部（或いは全部）が突出部収容凹所１９と対応する位置に設けられている以上、突出部形成部３４の一部（或いは全部）が突出部収容凹所１９と対応する位置に設けられることになる。
【００７０】
本実施例においても、突出部形成部３４の一方端部３４ａを他端側へ移動させることにより突出部形成部３４が収容凹所側へ膨出して商品収容凹所１８内に突出する突出部２２を形成することが可能となる。
【００７１】
なお、図１５〜１６実施例では、台紙４６を図１〜２に示したような商品収容凹所１８と突出部収容凹所１９とが連接しているブリスターケース１４に適用した場合について説明したが、図１０に示すように商品収容凹所１８と突出部収容凹所１９とが離れている場合や、図１１に示すように商品収容凹所１８内に突出部収容凹所１９が包含されている場合にも勿論適用が可能である。そして、後者の場合は、切込み４８が突出部収容凹所１９としても機能する商品収容凹所１８と対応する位置に形成されることになることはいうまでもない。
【図面の簡単な説明】
【００７２】
【図１】本発明にかかる包装容器の一例を示す正面図である。
【図２】包装容器の側面図である。
【図３】包装容器の背面図である。
【図４】ブリスターケースの背面図である。
【図５】台紙の展開図である。
【図６】突出部形成用台紙と化粧用台紙との一体物をそのつなぎ目部分にて折り曲げた状態を示す台紙の斜視図である。
【図７】図６の状態から突出部形成部の一方端部を他端側へ向けて移動させた状態を示す台紙の斜視図である。
【図８】ブリスターケースに台紙を挿入した状態を示す図である。
【図９】突出部の変形例を示す図である。
【図１０】商品収容凹所と突出部収容凹所とが離れている例を示す図である。
【図１１】商品収容凹所内に突出部収容凹所が包含されている例を示す図である。
【図１２】台紙の変形例を示す斜視図である。
【図１３】台紙の他の変形例を示す斜視図である。
【図１４】台紙の更に他の変形例を示す斜視図である。
【図１５】切込みの他の例を示す図である。
【図１６】図１５の状態から突出部形成部の一方端部を他端側へ向けて移動させた状態を示す図である。
【符号の説明】
【００７３】
１０…包装容器
１２…商品
１４…ブリスターケース
１６，４６…台紙
１８…商品収容凹所
１９…突出部収容凹所
２０…台紙受部
２２…突出部
２４…ガイド溝
２６…ストッパ
２８…突出部形成用台紙
３０…化粧用台紙
３２、４８…切込み
３４…突出部形成部
３６…台紙部
３６ｂ…一方端部端縁
３８…折曲線
４０…つなぎ目部分
４２…凸部
４４…凹部
【図１】
2008184185.tif 000003
【図２】
2008184185.tif 000004
【図３】
2008184185.tif 000005
【図４】
2008184185.tif 000006
【図５】
2008184185.tif 000007
【図６】
2008184185.tif 000008
【図７】
2008184185.tif 000009
【図８】
2008184185.tif 000010
【図９】
2008184185.tif 000011
【図１０】
2008184185.tif 000012
【図１１】
2008184185.tif 000013
【図１２】
2008184185.tif 000014
【図１３】
2008184185.tif 000015
【図１４】
2008184185.tif 000016
【図１５】
2008184185.tif 000017
【図１６】
2008184185.tif 000018